(57)【要約】【課題】飛散し難く、且つ、地面への施工が容易な境界区分袋付き防草シート、及び、これに使用される袋詰器を提供する。【解決手段】第１の方向に長尺な袋状に形成され、内部に土２９を収納可能な袋部２と、シート状に形成され、第１の方向に交差する第２の方向の一端部分が袋部２に接続されたシート部３と、を備えたことを特徴とする境界区分袋付き防草シート１。上面側に土２９が載置され、下面側に防草シート１が取り付けられる台２１と、台２１を支持する脚２２と、を備え、台２１は、上面側から下面側に貫通する貫通孔２５と、防草シート１を袋部２の内部と貫通孔２５の内部とが連通した状態に固定する固定部２６と、を有することを特徴とする袋詰器２０。【選択図】図１
2019118316.tif 000002
【特許請求の範囲】
【請求項１】
第１の方向に長尺な袋状に形成され、内部に重し材を収納可能な袋部と、
シート状に形成され、前記第１の方向に交差する第２の方向の一端部分が前記袋部に接続されたシート部と、を備えたことを特徴とする境界区分袋付き防草シート。
【請求項２】
前記袋部と前記シート部とが同一素材で形成されたことを特徴とする請求項１に記載の境界区分袋付き防草シート。
【請求項３】
前記シート部の前記第１の方向における寸法は、前記袋部の前記第１の方向における寸法よりも大きいことを特徴とする請求項１又は請求項２に記載の境界区分袋付き防草シート。
【請求項４】
前記袋部は、前記第１の方向の一端に開口を有することを特徴とする請求項１から３の何れか一項に記載の境界区分袋付き防草シート。
【請求項５】
前記袋部と前記シート部との間において液体が通過可能であることを特徴とする請求項１から４の何れか一項に記載の境界区分袋付き防草シート。
【請求項６】
前記重し材を収納した状態の前記袋部の上面を覆う上面部と、当該袋部の前記第２の方向における側面を覆う側面部と、を有する袋部カバーを備えたことを特徴とする請求項１から５の何れか一項に記載の境界区分袋付き防草シート。
【請求項７】
第１の方向に長尺な袋状に形成され、前記第１の方向の一端に開口を有する袋部を備えた袋部材の前記袋部に重し材を袋詰めする袋詰器であって、
上面側に前記重し材が載置されるスペースを有し、下面側に前記袋部材が取り付けられる台と、
前記台を支持する脚と、を備え、
前記台は、上面側から下面側に貫通する貫通孔と、前記袋部材を前記袋部の内部と前記貫通孔の内部とが連通した状態に固定する固定部と、を有することを特徴とする袋詰器。
【請求項８】
鉛直方向における前記固定部の下端から前記脚の下端までの寸法は、前記袋部の長尺方向における寸法以上であることを特徴とする請求項７に記載の袋詰器。
【発明の詳細な説明】
【技術分野】
【０００１】
本発明は、地面に雑草等の植物が繁茂することを抑制する境界区分袋付き防草シート、及び、これに使用される袋詰器に関する。
【背景技術】
【０００２】
防草シートは、整地された平坦面や傾斜面に敷設されて、蔓植物や雑草等の草木（植物）が繁茂することを抑制するシートである。このような防草シートは、従来、地面やアスファルト等で舗装され舗装路面に敷設された後、釘状のアンカー部材等を打ち込んだり、接着剤を使用したりすることで地面や舗装路面に固定されていた（例えば、特許文献１参照）。
【先行技術文献】
【特許文献】
【０００３】
【特許文献１】特開２０１１−２０８４３８号公報
【発明の概要】
【発明が解決しようとする課題】
【０００４】
ところで、防草シートは薄いシート状であるため、強風に煽られると、アンカー部材が地面から抜けて防草シートが飛散する虞があった。防草シートの飛散を抑制するために、特に防草シートの端部において、より多くのアンカー部材や接着剤を使用して防草シートを地面や舗装路面に固定することも考えられるが、この場合、アンカー部材や接着剤の費用が高くなるだけでなく、防草シートを敷設する際の作業性が悪化する。
【０００５】
本発明は、このような事情に鑑みてなされたものであり、その目的は、飛散し難く、且つ、地面への施工が容易な境界区分袋付き防草シート、及び、これに使用される袋詰器を提供することにある。
【０００６】
本発明は、上記した目的を達成するために提案されたもので、請求項１に記載のものは、第１の方向に長尺な袋状に形成され、内部に重し材を収納可能な袋部と、
シート状に形成され、前記第１の方向に交差する第２の方向の一端部分が前記袋部に接続されたシート部と、を備えたことを特徴とする境界区分袋付き防草シートである。
【０００７】
請求項２に記載のものは、前記袋部と前記シート部とが同一素材で形成されたことを特徴とする請求項１に記載の境界区分袋付き防草シートである。
【０００８】
請求項３に記載のものは、前記シート部の前記第１の方向における寸法は、前記袋部の前記第１の方向における寸法よりも大きいことを特徴とする請求項１又は請求項２に記載の境界区分袋付き防草シートである。
【０００９】
請求項４に記載のものは、前記袋部は、前記第１の方向の一端に開口を有することを特徴とする請求項１から３の何れか一項に記載の境界区分袋付き防草シートである。
【００１０】
請求項５に記載のものは、前記袋部と前記シート部との間において液体が通過可能であることを特徴とする請求項１から４の何れか一項に記載の境界区分袋付き防草シートである。
【００１１】
請求項６に記載のものは、前記重し材を収納した状態の前記袋部の上面を覆う上面部と、当該袋部の前記第２の方向における側面を覆う側面部と、を有する袋部カバーを備えたことを特徴とする請求項１から５の何れか一項に記載の境界区分袋付き防草シートである。
【００１２】
請求項７に記載のものは、第１の方向に長尺な袋状に形成され、前記第１の方向の一端に開口を有する袋部を備えた袋部材の前記袋部に重し材を袋詰めする袋詰器であって、
上面側に前記重し材が載置されるスペースを有し、下面側に前記袋部材が取り付けられる台と、
前記台を支持する脚と、を備え、
前記台は、上面側から下面側に貫通する貫通孔と、前記袋部材を前記袋部の内部と前記貫通孔の内部とが連通した状態に固定する固定部と、を有することを特徴とする袋詰器である。
【００１３】
請求項８に記載のものは、鉛直方向における前記固定部の下端から前記脚の下端までの寸法は、前記袋部の長尺方向における寸法以上であることを特徴とする請求項７に記載の袋詰器である。
【発明の効果】
【００１４】
請求項１に記載の発明によれば、第１の方向に長尺な袋状に形成され、内部に重し材を収納可能な袋部と、シート状に形成され、第１の方向に交差する第２の方向の一端部分が袋部に接続されたシート部と、を備えたので、袋部に砂、砂礫、土等の重し材を収納することで、当該袋部を重しとして機能させることが可能になる。すなわち、重し材が収納された袋部の重さにより境界区分袋付き防草シートが強風に煽られて飛散することを抑制できる。特に、従来の防草シートにおいては、アンカー部材や接着剤を用いて当該防草シートと地面との間に風が入り込まないようにすることは困難であったが、本発明における境界区分袋付き防草シートにおいては、袋部に土を詰めることで、地面に馴染み、且つ重さで地面との隙間を埋めることができる。このため、従来の防草シートと比較して、より強風に耐えることができる。また、地面に境界区分袋付き防草シートを施工する際に、重し材が収納された袋部を地面に載置してシート部を引っ張ることができるため、容易にシート部を広げることができる。その結果、境界区分袋付き防草シートの施工が容易になる。さらに、袋部の内部を空の状態（重し材が収納されていない状態）にすれば、境界区分袋付き防草シートが軽量になるため、当該境界区分袋付き防草シートの運搬が容易になる。加えて、重し材が収納された袋部を地面に載置するだけで、当該袋部により地面を区画することができる。すなわち、袋部により境界区分を形成することができる。例えば、袋部を舗装路とそれ以外の地面の境界等に配置される境界ブロックとして機能させることができる。そして、袋部に収納する重し材を土にすれば、一般的なコンクリート製の境界ブロックと比べて柔らかく安全である。また、土等の流動するものを重し材として使用した場合、凸凹のある地面（不陸）等であっても袋部の外形（底面）が当該凸凹に追従し易いため、袋部と地面との間に隙間が生じ難く、安定して袋部を載置することができる。さらに、重し材が収納された袋部によりシート部上の雨水が、境界区分袋付き防草シートが敷設された領域よりも外側の領域（例えば、路肩部や車道等）に勢いよく流れ出ることを抑制できる。
【００１５】
請求項２に記載の発明によれば、袋部とシート部とが同一素材で形成されたので、境界区分袋付き防草シートの製造が容易になる。
【００１６】
請求項３に記載の発明によれば、シート部の第１の方向における寸法が、袋部の第１の方向における寸法よりも大きいので、袋部の長尺方向に沿って複数の境界区分袋付き防草シートを並設する際に、隣接するシート部の一部を重ね合わせることができる。これにより、地面を隙間なく境界区分袋付き防草シートで覆うことができる。
【００１７】
請求項４に記載の発明によれば、袋部が、第１の方向の一端に開口を有するので、袋部に重し材を収納し易くなる。
【００１８】
請求項５に記載の発明によれば、袋部とシート部との間において液体が通過可能であるので、袋部とシート部との間を通じて、液体を流出させることができる。その結果、シート部上に液体が溜まることを抑制できる。
【００１９】
請求項６に記載の発明によれば、重し材を収納した状態の袋部の上面を覆う上面部と、当該袋部の第２の方向における側面を覆う側面部と、を有する袋部カバーを備えたので、隣り合う境界区分袋付き防草シートの袋部同士の接続箇所に袋部カバーを取り付けることで、袋部間の隙間を無くすことができる。これにより、載置された袋部の見栄え、すなわち、境界区分としての景観を良くすることができる。また、袋部を覆うことで、袋部の耐久性が向上する。
【００２０】
請求項７に記載の発明によれば、第１の方向に長尺な袋状に形成され、第１の方向の一端に開口を有する袋部を備えた袋部材の袋部に重し材を袋詰めする袋詰器であって、上面側に重し材が載置されるスペースを有し、下面側に袋部材が取り付けられる台と、台を支持する脚と、を備え、台が、上面側から下面側に貫通する貫通孔と、袋部材を袋部の内部と貫通孔の内部とが連通した状態に固定する固定部と、を有するので、台の下面側に袋部材を取り付けた状態で、台の上面側に載置された重し材を貫通孔に流入させることで、袋部に重し材を容易に収容させることができる。これにより、袋部に重し材を詰める作業が容易になる。
【００２１】
請求項８に記載の発明によれば、鉛直方向における固定部の下端から脚の下端までの寸法は、袋部の長尺方向における寸法以上であるので、台の下面側に袋部材を取り付けた状態において、袋部の下端部が地面に接して撓んだり、皺が寄ったりすることを抑制できる。これにより、袋部の下端部まで、すなわち袋部の隅々まで重し材を充填させることができる。
【図面の簡単な説明】
【００２２】
【図１】境界区分袋付き防草シートの平面図である。
【図２】境界区分袋付き防草シートの正面図である。
【図３】地面に敷設した状態の境界区分袋付き防草シートを説明する平面図である。
【図４】図３におけるＡ−Ａ断面図である。
【図５】アンカー部材の正面図である。
【図６】袋部カバーの斜視図である。
【図７】隣り合う境界区分袋付き防草シートの袋部間に取り付けられた袋部カバーを説明する平面図である。
【図８】隣り合う境界区分袋付き防草シートの袋部間に取り付けられた袋部カバーを説明する断面図である。
【図９】他の実施形態における袋部カバーの斜視図である。
【図１０】隣り合う境界区分袋付き防草シートの袋部間に取り付けられた他の実施形態の袋部カバーを説明する斜視図である。
【図１１】袋詰器の斜視図である。
【図１２】袋詰器の底面図である。
【図１３】袋詰めの様子を説明する斜視図である。
【図１４】袋部の閉じた開口を説明する模式図である。
【図１５】境界区分袋付き防草シートの他の使用形態を説明する境界区分袋付き防草シートが敷設された地面の断面図である。
【図１６】境界区分袋付き防草シートの他の使用形態を説明する境界区分袋付き防草シートが敷設された地面の断面図である。
【図１７】境界区分袋付き防草シートの他の使用形態を説明する境界区分袋付き防草シートが敷設された地面の断面図である。
【図１８】境界区分袋付き防草シートの他の使用形態を説明する境界区分袋付き防草シートが敷設された地面の断面図である。
【図１９】第２の実施形態における境界区分袋付き防草シートの平面図である。
【図２０】第２の実施形態における境界区分袋付き防草シートの使用形態を説明する境界区分袋付き防草シートが敷設された地面の断面図である。
【図２１】第２の実施形態における境界区分袋付き防草シートの他の使用形態を説明する境界区分袋付き防草シートが敷設された地面の断面図である。
【図２２】第３の実施形態における境界区分袋付き防草シートの平面図である。
【図２３】第３の実施形態における境界区分袋付き防草シートの使用形態を説明する境界区分袋付き防草シートが敷設された地面の断面図である。
【図２４】第３の実施形態における境界区分袋付き防草シートの他の使用形態を説明する境界区分袋付き防草シートが敷設された地面の断面図である。
【発明を実施するための形態】
【００２３】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、以下の説明において示される境界区分袋付き防草シート１、１′、１″、袋部カバー１８、１８′及び袋詰器２０の各部の寸法は一例であり、実際の寸法とは異なる場合がある。
【００２４】
図１は袋部２を畳んだ状態（袋部２の内部を空にして潰した状態）における境界区分袋付き防草シート１の平面図であり、図２は袋部２を畳んだ状態における境界区分袋付き防草シート１の正面図である。図３は地面に敷設した状態の境界区分袋付き防草シート１を説明する平面図であり、図４は図３におけるＡ−Ａ断面図である。
【００２５】
境界区分袋付き防草シート１は、図１に示すように、ｙ方向（本発明における第１の方向に相当）に長尺な袋状に形成された袋部（境界区分袋）２と、シート状に形成されたシート部３とを備えている。シート部３は、ｙ方向に交差（本実施形態では直交）するｘ方向（本発明における第２の方向に相当）の一端部分（図１における左端部）が袋部２に接続されている。袋部２とシート部３とは、同一の素材で形成されることが望ましく、例えば、遮光性を有する樹脂フィルムや合成糸或いは合成紐を織った織布等から成る。また、遮光性だけでなく、耐候性及び耐熱性を備えるものが望ましく、地面に敷設された状態で１０年以上の耐久性を有するものがより望ましい。さらに、用途に応じて、防水性又は透水性を備えることが望ましい。
【００２６】
図１に示すように、本実施形態における袋部２の長さ（すなわち、ｙ方向における寸法）Ｌ１は、約１１００ｍｍに設定されている。また、畳んだ状態における袋部２の幅（すなわち、ｘ方向における寸法）Ｌ２は、約１７０ｍｍに設定されている。なお、袋部２の内部に土（本発明における重し材の一種）を詰めて外形を整えた状態においては、当該袋部２の幅は約１４０ｍｍ、高さは約６０ｍｍになる。一方、本実施形態におけるシート部３の長さ（すなわち、ｙ方向における寸法）Ｌ３は、約１２２０ｍｍに設定されている。また、シート部３の幅（すなわち、ｘ方向における袋部２から袋部２とは反対側の端までの寸法）Ｌ４は、約１０００ｍｍに設定されている。そして、袋部２とシート部３とが接合された接合領域４（図１における破線及び実線で区画された部分）は、畳んだ状態における袋部２よりも小さい領域に設定されている。本実施形態においては、接合領域４の幅は畳んだ状態における袋部２の幅の半分以下に設定され、接合領域４の長さは約１０００ｍｍに設定されている。
【００２７】
なお、袋部２とシート部３とを接合する方法としては、接合領域４において両者を縫い合わせる方法（縫製）、両者を接着剤で接着する方法、又は、両者を熱により溶着する方法等を採用することができる。ここで、接合領域４における袋部２とシート部３との間において、僅かに隙間を生じさせることが望ましい。換言すると、袋部２とシート部３との間において液体が通過可能であることが望ましい。例えば、縫製の場合には、袋部２とシート部３とを縫い合わせる際に、縫い目を粗くすることで隙間を生じさせる。これにより、当該接合領域４を通じて、雨水等の液体を流出させることができる。その結果、シート部３上に雨水等の液体が溜まることを抑制できる。また、境界区分袋付き防草シート１の製造方法としては、シート部３と袋部２とをそれぞれ用意し、両者を上記の方法で接合する方法の他、１枚のシートから製造することもできる。例えば、１枚のシートの一部（袋部２に相当する部分）を折り曲げて、当該折り曲げた部分の端部を上記の方法を用いてシートの他の部分に接合することでシート部３の端部に袋部２を形成することもできる。いずれの方法を採用する場合でも、袋部２とシート部３とを同一の素材で形成した場合、これらの基となるシート（原反）を複数用意しなくてよいため、境界区分袋付き防草シート１の製造が容易になる。
【００２８】
袋部２は、ｙ方向の一端（図１における下側の端部）に開口６を有している。この開口６から土を袋部２内に導入することができる。なお、袋部２内へ土を詰める方法に関し、詳しくは後述する。開口６の外周には、紐８が通る紐通し部７が形成されており、当該紐通し部７に１本の紐８が通されている。この紐８を引っ張ることで、袋部２の開口６を閉じることができる。なお、紐通し部７に通す紐８は、複数本であっても良い。また、袋部２を閉じる構成としては、紐８を用いたものに限られず、ファスナー、シール、ボタン、結束バンド等を用いた構成を採用することもできる。本実施形態においては、紐８で袋部２の開口６を閉じる構成であるため、袋部２の開口６を閉じた際に、当該開口６に隣接するシート部３が袋部２側に引っ張られたり、皺が寄ったりし難くなるように、袋部２の開口６近傍に対応する部分とシート部３とが接続されないように構成されている。
【００２９】
また、本実施形態おける境界区分袋付き防草シート１は、ｙ方向において、袋部２の他端（開口６とは反対側の端部）の位置と、シート部３の他端の位置とが揃えられている。上記したように、シート部３の長さ（ｙ方向における寸法）Ｌ３は、袋部２の長さ（ｙ方向における寸法）Ｌ１よりも長く（大きく）形成されているため、シート部３のｙ方向における一側の端部（図１における下側の端部）には、袋部２よりもｙ方向の外側にはみ出た部分が形成される。この部分は、隣接する境界区分袋付き防草シート１に重ねられる重ね代９であり、本実施形態においては、重ね代９の長さ（すなわち、ｙ方向における寸法）が約１２０ｍｍに設定されている。これにより、袋部２の長尺方向に沿って複数の境界区分袋付き防草シート１を並設する際に、この重ね代９を隣接するシート部３の一部に重ね合わせることができる。その結果、地面を隙間なく境界区分袋付き防草シート１で覆うことができる。
【００３０】
次に、図３及び図４を参照して境界区分袋付き防草シート１の使用形態について説明する。図４に示すように、境界区分袋付き防草シート１は、袋部２内へ土２９を詰めた状態で使用される。この土詰めされた袋部２は、地面１０のうち境界区分袋付き防草シート１で覆いたい領域の端（すなわち、境界区分袋付き防草シート１で覆いたい領域とそれ以外の領域との境界）に沿って配置（敷設）される。具体的には、袋部２の長手方向が境界区分袋付き防草シート１で覆いたい領域の端に沿うように、複数の境界区分袋付き防草シート１を敷設する。この際、図３に示すように、隣り合う境界区分袋付き防草シート１の袋部２の端部同士が当接されるように配置される。後述するように、本実施形態における境界区分袋付き防草シート１は、紐８で袋部２の開口６を閉じた後、当該紐８の余剰部分で閉じた開口６の外周を縛るため、この部分が袋部２の端部から突出した凸状に形成される（図１４参照）。このため、この凸状の部分が隣接する境界区分袋付き防草シート１の袋部２に当接され、隣り合う境界区分袋付き防草シート１の袋部２間に僅かな隙間が形成される。この隙間により、境界区分袋付き防草シート１のシート部３側の雨水等を外側へ徐々に逃すことができる。その結果、シート部３上に雨水等が溜まることを抑制できる。なお、袋部２の凸状の部分を隣接する境界区分袋付き防草シート１の袋部２に押し込むことで、隣り合う境界区分袋付き防草シート１の袋部２間の隙間をほぼ無くすこともできる。
【００３１】
また、隣り合う境界区分袋付き防草シート１の袋部２同士の接続箇所に、例えば、図６乃至図１０に示すような袋部カバー１８又は袋部カバー１８′を取り付けて、袋部２間の隙間を無くすこともできる。すなわち、隣り合う境界区分袋付き防草シート１に袋部カバー１８又は袋部カバー１８′を備える構成を採用することもできる。ここで、図６乃至図８は、袋部カバー１８の説明図である。具体的には、図６は、袋部カバー１８の斜視図であり、図７は、隣り合う境界区分袋付き防草シート１の袋部２間に取り付けられた袋部カバー１８を説明する平面図である。また、図８は、隣り合う境界区分袋付き防草シート１の袋部２間に取り付けられた袋部カバー１８を説明する断面図である。
【００３２】
図６等に示すように、袋部カバー１８は、例えば、合成樹脂等から成り、土詰めされた袋部２の上面を覆う上面部１８ａと、土詰めされた袋部２の短手方向における側面を覆う側面部１８ｂと、地面に固定される固定片１８ｃとを備えている。この袋部カバー１８は、袋部２の一方の端部からこれに隣接する袋部２の他方の端部に亘って被覆できるように、例えば、約１００ｍｍ〜約２００ｍｍの長さ（袋部２の長手方向における寸法）に設定されている。また、袋部カバー１８の内部の空間は、土詰めされた袋部２を収容可能な大きさに設定されている。本実施形態においては、袋部カバー１８の幅（すなわち、上面部１８ａの幅）は約１４０ｍｍ〜約１５０ｍｍ、高さ（すなわち、側面部１８ｂの高さ）は約６０ｍｍ〜約７０ｍｍに設定されている。固定片１８ｃは、側面部１８ｂの下端から内側に向けて突出した部分である。この固定片１８ｃを通じて固定ピン１９を地面に挿入することで、袋部カバー１８を地面１０に強固に固定することができる（図８参照）。なお、固定ピン１９を挿通する穴は、固定片１８ｃに予め設けておいても良い。固定片１８ｃに穴を予め設けない場合は、現場において袋部カバー１８を地面１０に固定する際に、固定ピン１９で固定片１８ｃを貫くようにする。このように、隣り合う境界区分袋付き防草シート１の袋部２同士の接続箇所に、袋部カバー１８を取り付けることで、袋部２間の隙間を無くすことができる（図７参照）。これにより、載置された袋部２の見栄え、すなわち、境界区分としての景観を良くすることができる。また、袋部２を袋部カバー１８で覆うので、袋部２の耐久性が向上する。
【００３３】
また、図９及び図１０は、他の実施形態における袋部カバー１８′の説明図である。すなわち、図９は、他の実施形態における袋部カバー１８′の斜視図であり、図１０は、隣り合う境界区分袋付き防草シート１の袋部２間に取り付けられた他の実施形態の袋部カバー１８′を説明する斜視図である。
【００３４】
本実施形態における袋部カバー１８′は、例えば、合成樹脂等から成り、土詰めされた袋部２の上面を覆う上面部１８ａ′と、土詰めされた袋部２の短手方向における側面を覆う側面部１８ｂ′と、を備えている。この袋部カバー１８′の各部の寸法は、上記した実施形態の袋部カバー１８と略同じ寸法に設定されている。また、袋部カバー１８′の上面部１８ａ′には、固定ピン１９が挿通される挿通穴１７が開口されている。この挿通穴１７に固定ピン１９を挿通し、固定ピン１９の先端部を地面に挿入することで、袋部カバー１８′を固定することができる。具体的には、図１０に示すように、挿通穴１７が隣り合う境界区分袋付き防草シート１の袋部２間に位置するように袋部カバー１８′の位置決めを行い、当該挿通穴１７を介して固定ピン１９を地面に挿入する。これにより、袋部カバー１８′が隣り合う境界区分袋付き防草シート１の袋部２同士の接続箇所を覆った状態で、地面に固定される。その結果、袋部２間の隙間を無くすことができ、載置された袋部２の見栄え、すなわち、境界区分としての景観を良くすることができる。また、袋部２を袋部カバー１８′で覆うので、袋部２の耐久性が向上する。なお、袋部カバー１８′の構成は、上記で例示したものに限られず、例えば、挿通穴が上面部に開口されない構成を採用することもできる。この場合、袋部カバーを固定する際に、固定ピン１９を袋部カバーの上面から打ち込んで地面に挿入する。また、このような袋部カバー１８、１８′は、境界区分袋付き防草シート１以外の袋部にも使用することができる。例えば、シート部を有さない袋部のみから成る土嚢等を境界区分として地面に複数載置する際に、隣接する土嚢等の接続箇所に使用することができる。
【００３５】
また、シート部３は、地面１０に載置された袋部２から引き伸ばされ、皺を可及的に無くした状態で地面１０に敷設される。この際、図３に示すように、シート部３は、その重ね代９が隣接する境界区分袋付き防草シート１のシート部３と重なるように敷設される。そして、シート部３は、図３及び図４に示すように、複数のアンカー部材１１により地面１０に固定される。例えば、本使用形態においては、シート部３の重ね代９に対応する部分であって、２枚のシート部３が重なった部分に３つ、シート部３が重なっていない領域の境界区分袋付き防草シート１の並設方向における略中央部分に２つ、それぞれ境界区分袋付き防草シート１の並設方向に対して直交する方向に沿ってアンカー部材１１が列設されている。これにより、境界区分袋付き防草シート１のシート部３が地面１０に対して強固に固定される。なお、境界区分袋付き防草シート１の端部であって、隣接する境界区分袋付き防草シート１が重なる部分に上面からテープ等を貼ることで、重ねられたシート部３間に隙間が形成されないようにすることが望ましい。このようにすれば、シート部３の下方に風が入る込むことを抑制でき、境界区分袋付き防草シート１が浮上して飛散することを一層抑制できる。そして、このように境界区分袋付き防草シート１を敷設することで、袋部２及びシート部３で覆われた地面１０に植物が発芽、繁茂することを抑制できる。
【００３６】
なお、本実施形態におけるアンカー部材１１は、図５に示すように、合成樹脂（例えば、ポリプロピレン、ポリスチレン、アクリル樹脂、ポリエステル、又は、ＡＢＳ樹脂等）によって成形された、ねじ本体１２、頭部１３、及び、ワッシャー１４からなる雄ねじである。本実施形態におけるアンカー部材１１は、長手方向の寸法（全長）が約２００ｍｍ、ねじ本体１２の直径（ねじ山１６を含む径）が約２５ｍｍに成形されている。ねじ本体１２の軸１５には、先端部から後端部に亘って、例えば、約１５ｍｍピッチで螺旋状に形成されたねじ山１６が形成されている。また、本実施形態におけるアンカー部材１１の軸１５は、断面形状が十字形状に形成されている。すなわち、軸１５には、外方に向けて四方に突出した４つの凸条と、この４つの凸条間において、当該凸条に対応して内側に切り欠かれた４つの溝と、が長手方向に沿って形成されている。本実施形態における頭部１３は、多角柱状に形成され、工具（例えば、スパナやレンチあるいは電動インパクト等）が係合可能に構成されている。また、頭部１３の下部には、ワッシャー１４が回転可能な状態で保持されている。なお、ワッシャーは、頭部に保持されず、アンカー部材とは別体に構成することもできる。
【００３７】
このようなアンカー部材１１によるシート部３の地面１０への固定は、工具を頭部１３に係合させ、この工具を用いて頭部１３及びねじ本体１２を回転させることで実行される。具体的には、ねじ本体１２を回転させることで、ねじ本体１２の先端によりシート部３を貫いて、当該先端を地面１０にねじ込んでいく。これにより、アンカー部材１１のねじ本体１２が、地中にねじ山１６に対応するねじ谷（雌ねじ）を作りながら地中へ埋没（進入）する。このアンカー部材１１の地面１０へのねじ込みは、境界区分袋付き防草シート１がワッシャー１４と地面１０との間に挟まれた状態になるまで行う。その後、工具によるアンカー部材１１の回転を停止し、工具を頭部１３から取り外す。これにより、ワッシャー１４と地面１０との間に境界区分袋付き防草シート１が挟まれた状態となり、当該境界区分袋付き防草シート１が地面１０に対して強固に固定される。
【００３８】
そして、上記のように境界区分袋付き防草シート１を構成したので、袋部２に土２９を収納（本実施形態では封入）することで、当該袋部２を重しとして機能させることが可能になる。すなわち、土２９が収納された袋部２の重さにより境界区分袋付き防草シート１が強風に煽られて飛散することを抑制できる。特に、従来の防草シートにおいては、アンカー部材や接着剤を用いて当該防草シートと地面との間に風が入り込まないようにすることは困難であったが、本発明における境界区分袋付き防草シート１においては、袋部２に土を詰めることで、地面に馴染み、且つ重さで地面との隙間を埋めることができる。このため、従来の防草シートと比較して、より強風に耐えることができる。また、地面１０に境界区分袋付き防草シート１を施工する際に、土２９が収納された袋部２を地面１０に載置してシート部３を引っ張ることができるため、容易にシート部３を広げることができる。この際、袋部２とシート部３が一体になっているため、袋部２とシート部３との位置合わせが不要になる。すなわち、境界区分袋付き防草シート１の位置決めが容易になる。その結果、境界区分袋付き防草シート１の施工が容易になる。さらに、袋部２の内部を空の状態（土２９が収納されていない状態）にすれば、境界区分袋付き防草シート１が軽量になるため、当該境界区分袋付き防草シート１の運搬が容易になる。加えて、土２９が収納された袋部２を地面１０に載置するだけで、当該袋部２により地面１０を区画することができる。すなわち、袋部２により境界区分を形成することができる。例えば、袋部２を舗装路とそれ以外の地面の境界等に配置される境界ブロックとして機能させることができる。この場合、袋部２には土２９が収納されているため、一般的なコンクリート製の境界ブロックと比べて柔らかく安全である。また、凸凹のある地面（不陸）等であっても袋部２の外形（底面）が当該凸凹に追従し易いため、袋部２と地面との間に隙間が生じ難く、安定して袋部２を載置することができる。さらに、隣り合う袋部２間の隙間を小さくする、或いは、無くすことで、シート部３上の雨水が、境界区分袋付き防草シート１が敷設された領域よりも外側の領域（例えば、路肩や車道等）に勢いよく流れ出ることを抑制できる。そして、本実施形態においては、袋部２が長手方向の一端に開口６を有するので、袋部２に土２９を収納し易くなる。
【００３９】
次に、袋部２に土２９を袋詰めする袋詰器２０、及び、当該袋詰器２０を用いた袋部２に土２９を詰める方法について説明する。図１１は袋詰器２０の斜視図であり、図１２は底面図である。図１３は袋詰めの様子を説明する斜視図である。図１４は袋詰めした後において、袋部２の閉じた開口６を説明する模式図である。
【００４０】
図１１に示すように、袋詰器２０は、上面側の平らなスペースに土２９が載置され、下面側に境界区分袋付き防草シート１が取り付けられる台２１と、台２１を支持する脚２２と、を備えている。本実施形態における台２１は、平面視において、矩形状に形成され、その四隅に脚２２が取り付けられている。また、台２１の上面の外周縁には、上方に起立した壁２４が形成されている。この壁２４により、台２１の上面の平らなスペースに載置された土２９が台２１からこぼれ落ちることを抑制できる。さらに、図７等に示すように、台２１は、上面側から下面側に貫通する貫通孔２５と、袋部２の内部と貫通孔２５の内部とが連通した状態に固定する固定部２６と、を有している。本実施形態においては、４つの円形状の貫通孔２５が形成され、各貫通孔２５の下面側の縁に固定部２６が形成されている。なお、貫通孔２５及び固定部２６は、４つに限られず、少なくとも１つ以上備えていれば良い。また、貫通孔２５は、円形状に限られず、例えば、多角形状や楕円形状等を採用することができる。要するに、貫通孔２５は、袋部２の内部と連通できれば、どのような形状であっても良い。さらに、台２１は、平面上に形成されたスペースを有するものに限られず、土２９（重し材）を留めておくことができるスペースを有するものであれば、どのようなものであっても良い。例えば、ロート状のホッパーを備えたものを台として使用することができる。
【００４１】
本実施形態における固定部２６は、貫通孔２５の下面側の外周縁から下方に向けて突出した筒状の固定壁２７と、当該固定壁２７に設けられ、鉤状又は突起状に形成された係止部２８と、からなる。本実施形態においては、固定壁２７の外周に係止部２８が等間隔に３つ形成されている。そして、袋部２を固定部２６に固定する際には、袋部２の開口６を固定壁２７に挿通し、固定壁２７に挿通した袋部２を係止部２８に突き刺して当該袋部２を固定する。これにより、袋部２の内部と貫通孔２５の内部とが連通した状態で、袋部２を台２１に固定することができる。なお、固定部２６としては、上記した構成に限られず、袋部２の内部と貫通孔２５の内部とが連通した状態で、袋部２を台２１に固定することができれば、どのような構成であっても良い。例えば、貫通孔２５の下面側の外周縁に袋部２を挟持できるピンチを複数配置し、当該ピンチにより袋部２の開口６の縁を挟んで保持することもできる。
【００４２】
また、脚２２の長さ（高さ）は、台２１の下面側に袋部２を取り付けた状態において、当該袋部２の下端部が地面に接しない程度、或いは、ちょうど地面に接する程度の長さに設定されている。すなわち、鉛直方向における固定部２６の下端から脚２２の下端までの寸法が、袋部２の長尺方向における寸法以上に設定されている。これにより、台２１の下面側に袋部２を取り付けた状態において、袋部２の下端部が地面に接して撓んだり、皺が寄ったりすることを抑制できる。その結果、土２９を袋部２に袋詰めする際に、袋部２の下端部まで、すなわち袋部２の隅々まで土２９を充填させることができる。なお、袋詰器２０は、台２１と脚２２とを別々の部材で構成し、台２１と脚２２とを切り離して個々の部材に分解したり、台２１に足を取り付けて袋詰器２０を組み立てたりできるように構成されることが望ましい。このようにすれば、袋詰器２０を分解した状態で袋詰めを行う場所まで運ぶことができ、運搬時の省スペース化を図ることができる。また、脚２２としては、長さ調節機能を備えたものを採用することもできる。このようにすれば、袋部２の長さに応じて脚の長さを調節できるため、種々の長さの袋部２に対応が可能になる。
【００４３】
このような袋詰器２０を用いた袋詰め方法について説明する。なお、袋部２への袋詰めは、現場における土２９を用いて、当該現場において行うことが望ましい。まず、図１３に示すように、台２１の下面に境界区分袋付き防草シート１を取り付ける。具体的には、袋部２の開口６を空けた状態で、開口６の縁を固定壁２７に挿通し、この固定壁２７に挿通した部分を係止部２８に突き刺して当該袋部２を固定部２６に固定する。この際、シート部３は、袋部２の外周に巻き付けておくことが望ましい。また、シート部３の上端部（開口６側の端部）は、袋部２の開口６を固定部２６に取り付ける際に邪魔にならないように、下方へ折り曲げておくことが望ましい。これにより、袋部２の内部と貫通孔２５の内部とが連通した状態で、境界区分袋付き防草シート１が台２１に固定される。次に、台２１の上面、特に袋部２内と連通する貫通孔２５の周辺に土２９を載置する。そして、スコップや手等を使って台２１上の土２９を貫通孔２５内に落とし込んでいく（図１３に示す矢印参照）。落とし込まれた土２９は、貫通孔２５を介して袋部２内に流入し、袋部２内に収容される。その後、袋部２の開口６近傍まで土２９が堆積し、袋部２内に土２９が充填されれば、袋部２を固定部２６から取り外す。このように、袋詰器２０を使用することで、袋部２に土２９を容易に収容させることができる。これにより、袋部２に土２９を詰める作業が容易になる。なお、境界区分袋付き防草シート１を施工する領域に応じて、袋部２内に流入させる土２９の量を変えて袋部２の長さを調整することもできる。
【００４４】
袋部２内に土２９を充填したならば、開口６の紐８を引っ張り、開口６を閉じる。この際、図１４に示すように、この紐８の余剰部分を閉じた開口６の外周に巻き付けて縛ることが望ましい。これにより、開口６を強固に閉じることができる。なお、本実施形態においては、紐８を用いて開口６を閉じる構成を採用したが、これには限られない。例えば、縫製や溶着により開口６を閉じる構成や、開口６にファスナーを設けて、ファスナーを閉じる構成等を採用することもできる。開口６を閉じたならば、袋部２の各面が平らになるように外形を整える。本実施形態においては、幅が約１４０ｍｍ、高さが約６０ｍｍの角柱状になるように袋部２の外形を整える。このようにして、図３及び図４に示すような境界区分袋付き防草シート１を作製できる。
【００４５】
なお、上記した実施形態では、袋部２に入れる重し材として土２９を用いたが、これには限られない。重し材としては、例えば、砂、砂礫、ウッドチップ、コンクリート片、鉄屑、樹脂粒子等を用いることもできる。すなわち、重し材としては、袋部２に入れて重しとして機能させることができれば、どのようなものであっても良い。また、上記した実施形態では、袋詰器２０を用いて袋部材の一種である境界区分袋付き防草シート１の袋部２に袋詰めを行ったが、袋詰器２０はこれ以外の袋部材にも使用することができる。すなわち、袋詰器２０は、長手方向の一端に開口を有する袋部を備えた袋部材であれば、どのようなものにも使用することができる。さらに、境界区分袋付き防草シート１を固定するアンカー部材として、雄ねじ状のアンカー部材１１を用いたが、これには限られない。釘状のアンカー部材等の種々のアンカー部材を用いることもできる。
【００４６】
次に、境界区分袋付き防草シート１の他の使用形態について説明する。図１５〜図１８は、境界区分袋付き防草シート１の他の使用形態を説明する境界区分袋付き防草シート１が敷設された地面の断面図（詳しくは、袋部２の長手方向に直交する方向における断面図）である。
【００４７】
図１５に示す使用形態では、境界区分袋付き防草シート１及び防草シート３１で覆いたい領域の幅方向における両端に、シート部３が内側になるように２つの境界区分袋付き防草シート１が向い合せて配置され、その間に袋部２の無いシート状の防草シート３１（すなわち、従来の防草シート）が配置されている。具体的には、境界区分袋付き防草シート１及び防草シート３１で覆いたい領域の一側の端部（図１５における左側の端部）に一方の境界区分袋付き防草シート１の袋部２が配置され、この境界区分袋付き防草シート１のシート部３が他方の境界区分袋付き防草シート１側に向けて張設されている。また、境界区分袋付き防草シート１及び防草シート３１で覆いたい領域の他側の端部（図１５における右側の端部）に他方の境界区分袋付き防草シート１の袋部２が配置され、この境界区分袋付き防草シート１のシート部３が一方の境界区分袋付き防草シート１側に向けて張設されている。そして、中央の防草シート３１は、一方の境界区分袋付き防草シート１のシート部３と他方の境界区分袋付き防草シート１のシート部３との間において、両端部がそれぞれの境界区分袋付き防草シート１のシート部３（より詳しくは、シート部３の袋部２とは反対側の端部）と重なるように配置されている。なお、少なくとも一方の境界区分袋付き防草シート１のシート部３と中央の防草シート３１とが重なる部分、及び、他方の境界区分袋付き防草シート１のシート部３と中央の防草シート３１とが重なる部分は、アンカー部材１１により地面１０に強固に固定されている。また、境界区分袋付き防草シート１及び防草シート３１は、上記した使用形態と同様に、境界区分袋付き防草シート１及び防草シート３１で覆いたい領域の長さに応じて、袋部２の長手方向に沿って複数並設されている。なお、本使用形態においては、境界区分袋付き防草シート１及び防草シート３１で覆いたい領域の幅方向において、防草シート３１が１枚配置されたが、これには限られない。境界区分袋付き防草シート１及び防草シート３１で覆いたい領域の幅に応じて、防草シート３１を当該幅方向に複数配置することもできる。
【００４８】
図１６に示す使用形態では、上記した図１５に示す使用形態と同様に、２つの境界区分袋付き防草シート１及びシート状の防草シート３１が配置され、一方の境界区分袋付き防草シート１の袋部２と他方の境界区分袋付き防草シート１の袋部２との間に砂利３２が敷き詰められている。なお、袋部２間に砂利３２を敷き詰める以外は、上記した図１５に示す使用形態と同様であるため、説明を省略する。このように構成することで、植物の発芽、繁茂が抑制された砂利道を容易に作製することができる。なお、砂利の他に土やウッドチップ等を敷き詰めることもできる。
【００４９】
図１７に示す使用形態は、アスファルト等で舗装された道路３３の脇の路肩３４及び法面３５に境界区分袋付き防草シート１が施工されている。本使用形態では、袋部２の長手方向が道路３３と路肩３４との境界に沿うように、路肩３４の延在方向に沿って複数の境界区分袋付き防草シート１が並設されている。そして、道路３３と路肩３４との境界に配置された袋部２から路肩３４及び法面３５の一部を覆うようにシート部３が敷設され、アンカー部材１１により固定されている。これにより、路肩３４及び法面３５における植物の発芽、繁茂を抑制することができる。また、道路３３と路肩３４との境界に配置された袋部２が境界ブロックとして機能する。この袋部２には土２９が収納されているため、柔らかく、安全性が向上したものとなっている。したがって、一般的なコンクリート製の境界ブロックを用いた路肩構造に比べて、安全性が向上した路肩構造を提供できる。なお、法面３５の下方において、シート部３の下側（袋部２とは反対側）の端部と重なるように、シート状の防草シート（すなわち、従来の防草シート）を敷設することもできる。このようにすれば、植物の発芽、繁茂を抑制できる領域を一層広くすることができる。
【００５０】
図１８に示す使用形態は、アスファルト等で舗装された道路３３の脇のマウントアップされた路肩３４に境界区分袋付き防草シート１が施工されている。本使用形態では、袋部２の長手方向が道路３３と路肩３４との境界に沿うように、路肩３４の延在方向に沿って複数の境界区分袋付き防草シート１が並設されている。具体的には、マウントアップされた路肩３４の端部に袋部２が配置され、この袋部２から道路３３側にシート部３が引き出されている。そして、この袋部２から引き出されたシート部３は、袋部２の道路３３側の側面及び上面を覆い、道路３３側とは反対側の路肩３４側へ向けて引き出され、当該路肩３４に敷設されている。すなわち、シート部３は、袋部２の下面から袋部２の露出した部分を覆うように、袋部２の周囲を覆って路肩３４側に引き出されている。そして、路肩３４に敷設されたシート部３は、アンカー部材１１により固定されている。このように構成することで、道路３３との境界を容易に区画でき、マウントアップされた路肩３４を容易に作製することができる。また、袋部２の周囲をシート部３で覆うことで、袋部２の地面から露出した部分が２重構造となるため、袋部２を補強することができる。これにより、袋部２が破損することを抑制できる。なお、上記した各使用形態においても、本使用形態のように、袋部２の外周にシート部３を巻き付けてから地面にシート部３を敷設する構成を採用することもできる。また、袋部２の外周にシート部３を複数回巻き付けることもできる。
【００５１】
ところで、上記した第１の実施形態における境界区分袋付き防草シート１は、袋部２の長手方向における開口６側の端部よりも外側にシート部３がはみ出るように形成されたが、これには限られない。図１９に示す第２の実施形態における境界区分袋付き防草シート１′では、袋部２の長手方向（ｙ方向）における両側において、当該袋部２よりも外側にシート部３がはみ出るように構成されている。このはみ出た部分（以下、余剰部分３７という）は、境界区分袋付き防草シート１′を地面１０に敷設した際に、重ね代となる部分、或いは、地中に埋設される部分である。本実施形態においては、袋部２の長手方向における一方にはみ出た余剰部分３７と他方にはみ出た余剰部分３７とが、ほぼ同じ大きさになるように設定されている。なお、その他の構成は上記した第１の実施形態と同じであるため、説明を省略する。
【００５２】
次に、第２の実施形態における境界区分袋付き防草シート１′の使用形態について説明する。図２０は、第２の実施形態における境界区分袋付き防草シート１′の使用形態を説明する境界区分袋付き防草シート１′が敷設された地面の断面図（詳しくは、袋部２の長手方向における断面図）である。土詰めされた袋部２は、第１の実施形態における境界区分袋付き防草シート１の使用形態と同様に、境界区分袋付き防草シート１′で覆いたい領域の端に沿って配置される。また、境界区分袋付き防草シート１′は、隣り合う袋部２の端部同士が当接されるように並設される。そして、シート部３は、地面１０に載置された袋部２から引き伸ばされ、皺を可及的に無くした状態でアンカー部材１１により地面１０に固定される。シート部３の余剰部分３７は、隣接する境界区分袋付き防草シート１′の余剰部分３７と重ねられ、地中に埋設される。より詳しくは、一の余剰部分３７が地面１０に敷設されたシート部３から下方に向けて折り曲げられると共に、これに隣接する余剰部分３７が地面１０に敷設されたシート部３から下方に向けて折り曲げられ、両者が重ねられた状態で地中に埋設される。これにより、シート部３が地面１０に更に強固に固定され、境界区分袋付き防草シート１′が強風に煽られて飛散することをより一層抑制できる。
【００５３】
なお、余剰部分３７を地中に埋設せず、第１の実施形態における境界区分袋付き防草シート１の各使用形態と同様に、余剰部分３７を隣接する境界区分袋付き防草シート１′のシート部３と重なる重ね代として使用することもできる。例えば、図２１に示す境界区分袋付き防草シート１′の他の使用形態では、境界区分袋付き防草シート１′の並設方向における両端に位置する余剰部分３７が地中に埋設され、それ以外の余剰部分３７（すなわち、他の境界区分袋付き防草シート１′と隣接する余剰部分３７）が隣接する境界区分袋付き防草シート１′のシート部３と重なる重ね代となっている。そして、少なくとも境界区分袋付き防草シート１′のシート部３が重なる部分には、アンカー部材１１が挿通されている。このように境界区分袋付き防草シート１′の並設方向における両端を埋設することで、この部分から風が入り込んで境界区分袋付き防草シート１′が飛散することを抑制できる。
【００５４】
また、上記した各実施形態においては、１つの境界区分袋付き防草シート１（又は１′）に１つの袋部２を備えたが、これには限られない。例えば、図２２に示す第３の実施形態における境界区分袋付き防草シート１″は、２つの袋部２を備えている。具体的には、本実施形態における境界区分袋付き防草シート１″は、シート部３のｘ方向における両側の端部にそれぞれ袋部２が接続されている。両袋部２は、上記した各実施形態における袋部２と同様に、ｙ方向の一端（図２２における下側の端部）に開口６を有している。本実施形態においては、ｘ方向における一側の袋部２と他側の袋部２とは、左右対称に構成されている。なお、その他の構成は、上記した第２の実施形態と同じであるため、説明を省略する。このような袋部２を２つ備えた境界区分袋付き防草シート１″に袋詰器２０を用いて土２９を袋詰めする場合、一方の袋部２の開口６を袋詰器２０の一の貫通孔２５に対応する固定部２６に固定し、他方の袋部２の開口６を袋詰器２０の他の貫通孔２５に対応する固定部２６に固定する。そして、一の貫通孔２５及び他の貫通孔２５に土２９を落とし込むことで、両方の袋部２に同時に土２９を袋詰めすることができる。これにより、袋部２への袋詰めが容易になる。
【００５５】
図２３は、第３の実施形態における境界区分袋付き防草シート１″の使用形態を説明する境界区分袋付き防草シート１″が敷設された地面の断面図（詳しくは、袋部２の長手方向に直交する方向における断面図）である。本使用形態では、図２３に示すように、土詰めされた袋部２が間隔を空けて載置され、その間にシート部３が張設されている。すなわち、一方の袋部２と他方の袋部２との間にシート部３が敷設されている。そして、シート部３は、アンカー部材１１により固定されている。なお、境界区分袋付き防草シート１″は、図２０又は図２１に示す使用形態と同様に、隣り合う袋部２の端部同士が当接されるように、袋部２の長手方向に沿って並設される。また、シート部３の余剰部分３７は、図２０に示す使用形態と同様に、地中に埋設される。或いは、図２１に示す使用形態と同様に、重ね代として隣接するシート部３と重ねられる。このように境界区分袋付き防草シート１″の並設方向に交差する方向の両端を袋部２にすることで、境界区分袋付き防草シート１″が飛散することを一層抑制できる。すなわち、境界区分袋付き防草シート１″の両端において、風が境界区分袋付き防草シート１″の下方に入る込むことを抑制できる。
【００５６】
なお、図１６に示す使用形態のように、一方の袋部２と他方の袋部２との間に砂利等を敷き詰めることもできる。これにより、植物の発芽、繁茂が抑制された砂利道等を容易に作製することができる。この場合、シート部３の幅（境界区分袋付き防草シート１″の並設方向に交差する方向（すなわち、図２２におけるｘ方向）における寸法）は、砂利道等の幅に応じて任意に設定される。
【００５７】
また、上記した各仕様形態で説明した砂利道は、地面から一段高い位置に形成されたが、これには限られない。境界区分袋付き防草シートを地面に埋め込むことで、地面と砂利道の高さを揃えることもできる。例えば、図２４に示す使用形態では、土詰めされた袋部２の高さ分だけ地面１０が掘り下げられ、この掘り下げられた部分に境界区分袋付き防草シート１″が敷設されている。そして、一方の袋部２と他方の袋部２との間に砂利３２が敷き詰められている。このように、地面１０を掘り下げて境界区分袋付き防草シート１″を敷設することで、地面と砂利道の高さを揃えることもできる。なお、掘り下げられた地面に敷設された境界区分袋付き防草シート１″は、上記した図２３に示す使用形態と略同じであるため、説明を省略する。また、本使用形態においても、砂利の他に土やウッドチップ等を敷き詰めることもできる。さらに、地面１０の掘り下げ量を変更することで、砂利道の高さを任意に変更することができる。
【００５８】
なお、境界区分袋付き防草シート１″の２つの袋部２のうちの何れか一方の袋部２のみに土詰めし、他方の袋部２を畳んだ状態にしたまま敷設することもできる。この場合、上記した第１の実施形態の各使用形態や第２の実施形態の各使用形態と同様に、１つの袋部２を備えた境界区分袋付き防草シートとして使用することができる。
【００５９】
なお、上記した各実施形態及び各仕様形態における境界区分袋付き防草シートの各部の寸法は、境界区分袋付き防草シートが敷設される場所等に応じて適宜に設定することができる。また、現場において、境界区分袋付き防草シートを切断等することで、境界区分袋付き防草シートの各部の寸法を変更したり、電柱等の構造物と重なるシート部の一部をくり抜いたりすることもできる。さらに、袋部に土を袋詰めする際に、袋詰器を用いずに行うこともできる。
そして、本発明は上記した実施形態に限らず、特許請求の範囲内での全ての変更が含まれる。
【符号の説明】
【００６０】
１、１′、１″    境界区分袋付き防草シート
２    袋部
３    シート部
４    接合領域
６    開口
７    紐通し部
８    紐
９    重ね代
１０    地面
１１    アンカー部材
１２    ねじ本体
１３    頭部
１４    ワッシャー
１５    軸
１６    ねじ山
１７    挿通穴
１８、１８′    袋部カバー
１８ａ、１８ａ′    上面部
１８ｂ、１８ｂ′    側面部
１８ｃ    固定片
１９    固定ピン
２０    袋詰器
２１    台
２２    脚
２４    壁
２５    貫通孔
２６    固定部
２７    固定壁
２８    係止部
２９    土
３１    防草シート
３２    砂利
３３    道路
３４    路肩
３５    法面
３７    余剰部分
【図１】
2019118316.tif 000003
【図２】
2019118316.tif 000004
【図３】
2019118316.tif 000005
【図４】
2019118316.tif 000006
【図５】
2019118316.tif 000007
【図６】
2019118316.tif 000008
【図７】
2019118316.tif 000009
【図８】
2019118316.tif 000010
【図９】
2019118316.tif 000011
【図１０】
2019118316.tif 000012
【図１１】
2019118316.tif 000013
【図１２】
2019118316.tif 000014
【図１３】
2019118316.tif 000015
【図１４】
2019118316.tif 000016
【図１５】
2019118316.tif 000017
【図１６】
2019118316.tif 000018
【図１７】
2019118316.tif 000019
【図１８】
2019118316.tif 000020
【図１９】
2019118316.tif 000021
【図２０】
2019118316.tif 000022
【図２１】
2019118316.tif 000023
【図２２】
2019118316.tif 000024
【図２３】
2019118316.tif 000025
【図２４】
2019118316.tif 000026